(57)【要約】【課題】棚板の上下それぞれにおいて照明むらが少ないショーケースの照明装置、およびこの照明装置を備えるショーケースを提供する。【解決手段】棚板４の前端部に取り付けられる照明装置２０は、前方へ光を照射する複数のＬＥＤ素子３９と、ＬＥＤ素子３９からの照射光を棚板４の上下へ導光する導光体３２とを備える。導光体３２は、ＬＥＤ素子３９の前面に臨む入射面６１と、棚板４の上方空間に臨む上出射面６２と、棚板４の下方空間に臨む下出射面６３と、複数の反射面６４〜６７とを備える。入射面６１を介して導光体３２の内部に進入したＬＥＤ素子３９の照射光は、反射面６４〜６７で一回ないし複数回反射されて、上出射面６２と下出射面６３のいずれかから出射するようになっている。上出射面６２が面発光して棚板４の上方空間を照明するとともに、下出射面６３が面発光して棚板４の下方空間を照明する。【選択図】図１
2012161474.tif 000002
【特許請求の範囲】
【請求項１】
前面が開口する陳列室（３）内に商品陳列用の棚板（４）が設けられているショーケースにおいて、棚板（４）の前端部に取り付けられる照明装置（２０）であって、
照明装置（２０）は、前方へ向けて光を照射する複数のＬＥＤ素子（３９）と、ＬＥＤ素子（３９）からの照射光を棚板（４）の上下へ導光する導光体（３２）とを備えており、
導光体（３２）は、ＬＥＤ素子（３９）の前面に臨む入射面（６１）と、棚板（４）の上方空間に臨む上出射面（６２）と、棚板（４）の下方空間に臨む下出射面（６３）と、ＬＥＤ素子（３９）からの照射光を反射する複数の反射面（６４〜６７）とを備えており、
入射面（６１）を介して導光体（３２）の内部に進入したＬＥＤ素子（３９）の照射光は、反射面（６４〜６７）で一回ないし複数回反射されて、上出射面（６２）と下出射面（６３）のいずれかから出射するようになっており、
上出射面（６２）が面発光して棚板（４）の上方空間を照明するとともに、下出射面（６３）が面発光して棚板（４）の下方空間を照明することを特徴とするショーケースの照明装置。
【請求項２】
ＬＥＤ素子（３９）と基板（３８）とで構成されるＬＥＤユニット（３１）と、導光体（３２）とが、ブラケット（３３）に固定されてユニット部品化されており、
ブラケット（３３）に、棚板（４）に締結固定される締結座（５１）が設けられている請求項１に記載のショーケースの照明装置。
【請求項３】
ブラケット（３３）が、遮光性の材料で形成されており、
ＬＥＤユニット（３１）および導光体（３２）の外面が、導光体（３２）の上出射面（６２）と下出射面（６３）とを除いて、ブラケット（３３）と遮光性のカバー（３４〜３６）とで覆われて、上出射面（６２）と下出射面（６３）のみが陳列室（３）に対して臨ませてある請求項２記載のショーケースの照明装置。
【請求項４】
導光体（３２）の入射面（６１）が、ＬＥＤ素子（３９）から離れる方向に凹み形成されている請求項１から３のいずれかに記載のショーケースの照明装置。
【請求項５】
前面が開口する陳列室（３）内に商品陳列用の棚板（４）が設けられており、
棚板（４）の前端部に、請求項１から４のいずれかに記載の照明装置（２０）が取り付けられていることを特徴とするショーケース。
【発明の詳細な説明】
【技術分野】
【０００１】
本発明は、前面が開口する陳列室内に商品陳列用の棚板が設けられているショーケースにおいて、棚板の前端部に取り付けられる照明装置と、この照明装置を備えるショーケースに関する。
【背景技術】
【０００２】
この種の照明装置は、例えば特許文献１に公知である。そこでは、前方へ向けて光を照射する複数のＬＥＤ素子と、ＬＥＤ素子からの照射光を後上方ないし後下方へ向けて反射するミラー等の反射部材などで、照明装置を構成している。ミラーで後上方へ反射された光は、透光性のガードを透過して、照明装置が取り付けられた棚板上に陳列された商品を前方から照明する。後下方へ反射された光は、プライスレールに形成された透孔を介して、照明装置が取り付けられた棚板の一段下の棚板上に陳列された商品を照明する。つまり、特許文献１の照明装置は、棚板の上下両方を照明することができる。
【先行技術文献】
【特許文献】
【０００３】
【特許文献１】特開２０１０−０７８２５１号公報
【発明の概要】
【発明が解決しようとする課題】
【０００４】
しかし、ＬＥＤ素子の照射光は指向性が強いために、特許文献１のようにＬＥＤ素子からの照射光を直接ミラーで反射させると、反射光が照射される範囲において照度が不均一になり、陳列商品の照明にむらが生じやすい。また、特許文献１では、ミラーの取付角度に精密性が要求されるため、取付作業に手間が掛かる。さらに、特許文献１では、ミラーでガードに向かって反射された光が棚板の上方を照明し、ミラーでプライスレールの透孔に向かって反射された光が棚板の下方を照明するが、それ以外の方向へ反射された光は、プライスレールの内部から出ることができず、この光を照明として利用することはできない。つまり、特許文献１の照明装置は、ＬＥＤ素子の照射光の利用率が低く、この点に改善の余地がある。
【０００５】
本発明の目的は、棚板の上下それぞれにおいて照明むらが少ないショーケースの照明装置、およびこの照明装置を備えるショーケースを提供することにある。本発明の目的は、棚板に対して簡便に取り付けることができるショーケースの照明装置、およびこの照明装置を備えるショーケースを提供することにある。本発明の目的は、ＬＥＤ素子の照射光の利用率が高いショーケースの照明装置、およびこの照明装置を備えるショーケースを提供することにある。
【課題を解決するための手段】
【０００６】
本発明は、前面が開口する陳列室３内に商品陳列用の棚板４が設けられているショーケースにおいて、棚板４の前端部に取り付けられる照明装置２０に関する。照明装置２０は、前方へ向けて光を照射する複数のＬＥＤ素子３９と、ＬＥＤ素子３９からの照射光を棚板４の上下へ導光する導光体３２とを備える。導光体３２は、ＬＥＤ素子３９の前面に臨む入射面６１と、棚板４の上方空間に臨む上出射面６２と、棚板４の下方空間に臨む下出射面６３と、ＬＥＤ素子３９からの照射光を反射する複数の反射面６４〜６７とを備える。入射面６１を介して導光体３２の内部に進入したＬＥＤ素子３９の照射光は、反射面６４〜６７で一回ないし複数回反射されて、上出射面６２と下出射面６３のいずれかから出射するようになっている。上出射面６２が面発光して棚板４の上方空間を照明するとともに、下出射面６３が面発光して棚板４の下方空間を照明することを特徴とする。
【０００７】
ＬＥＤ素子３９と基板３８とで構成されるＬＥＤユニット３１と、導光体３２とを、ブラケット３３に固定してユニット部品化する。ブラケット３３に、棚板４に締結固定される締結座５１を設ける。
【０００８】
ブラケット３３を、遮光性の材料で形成する。ＬＥＤユニット３１および導光体３２の外面を、導光体３２の上出射面６２と下出射面６３とを除いて、ブラケット３３と遮光性のカバー３４〜３６とで覆い、上出射面６２と下出射面６３のみを陳列室３に対して臨ませる。
【０００９】
導光体３２の入射面６１を、ＬＥＤ素子３９から離れる方向に凹み形成する。
【００１０】
また本発明は、前面が開口する陳列室３内に商品陳列用の棚板４を設け、棚板４の前端部に上記照明装置２０を取り付けたショーケースに関する。
【発明の効果】
【００１１】
本発明では、入射面６１を介して導光体３２の内部に進入したＬＥＤ素子３９の照射光が、導光体３２に設けた複数の反射面６４〜６７で繰り返し反射されて、上出射面６２と下出射面６３のいずれかから出射するようにした。このように、ＬＥＤ素子３９の照射光を、導光体３２で複雑に反射させて、上出射面６２あるいは下出射面６３へ導光すると、上出射面６２と下出射面６３のそれぞれにおいて照度を均一化できる。したがって、上出射面６２と下出射面６３のそれぞれの照明範囲において、照度を均一化して照明むらを少なくすることができる。
【００１２】
ＬＥＤユニット３１と導光体３２とをブラケット３３に固定して、これら三者をユニット部品化して、ブラケット３３の締結座５１を棚板４に締結固定するようにすると、ブラケット３３を棚板４に締結固定するだけで、照明装置２０を棚板４に取り付けることができるので、照明装置２０の取付作業を簡便に行うことができる。
【００１３】
ＬＥＤユニット３１および導光体３２の外面を遮光性のブラケット３３とカバー３４〜３６とで覆い、上下の出射面６２・６３のみを陳列室３に臨ませると、ＬＥＤ素子３９の照射光が上下の出射面６２・６３以外から漏れるのを防いで、そのほとんどを上下の出射面６２・６３のいずれかから出射させることができるので、ＬＥＤ素子３９からの照射光の利用率を高めて、効率の良い照明装置２０を得ることができる。ブラケット３３を遮光性の材料で形成し、カバーとしての機能を持たせると、導光体３２の外面を覆うのに必要なカバーの個数を削減して、照明装置２０の低コスト化を図ることができる。ブラケット３３とカバー３４〜３６は、導光体３２の外表面の保護や、照明装置２０の外観の向上にも寄与する。
【００１４】
また、ＬＥＤ素子３９の照射光のほとんどを、上下の出射面６２・６３のいずれかから出射させると、各出射面６２・６３における照度を高めることができ、したがって、商品Ｐを高い照度で照明して目立たせることができる。本発明に係る照明装置２０は、庫外照明が無いもしくは庫外照明の照度が低いショーケースや、棚板４が雛段状に配置されたショーケースに好適である。
【００１５】
導光体３２の入射面６１を、ＬＥＤ素子３９から離れる方向に凹み形成すると、入射面６１におけるＬＥＤ素子３９からの照射光の入射角度を多様化させて、導光体３２内における光の進路を複雑化させることができ、したがって、上出射面６２と下出射面６３のそれぞれにおいて、照度をより均一化できる。
【図面の簡単な説明】
【００１６】
【図１】ショーケースの照明装置の縦断側面図である。
【図２】ショーケースの縦断側面図である。
【図３】ショーケースの棚板の先端部の構造を示す縦断側面図である。
【図４】ショーケースの照明装置の分解斜視図である。
【図５】ショーケースの照明装置の照明範囲を示す棚板の先端部の側面図である。
【発明を実施するための形態】
【００１７】
（実施形態）  図１から図５に、本発明に係る照明装置を冷蔵オープンショーケースに適用した実施形態を示す。なお、本実施形態における前後、左右、上下とは、各図に示す交差矢印と、各矢印の近傍に表記した前後、左右、上下の表示に従う。
【００１８】
図２に示すように、冷蔵オープンショーケースは、ショーケース本体１と、ショーケース本体１の下側に配置される機械室２などで構成される。ショーケース本体１は、前面が開口する陳列室３と、陳列室３内に配される上下四段の商品陳列用の棚板４と、陳列室３内を冷却する冷却手段５とを備える。棚板４は雛壇状に配置されており、下段の棚板４ほど、その前端が前方に位置している。冷却手段５は、陳列室３の上側前部に設けた空気吹出口８と、陳列室３の下側前部に設けた空気吸込口９と、ショーケース本体１の外周壁に沿って設けられて空気吹出口８と空気吸込口９とを繋ぐ循環路１０と、循環路１０内に配した送風ファン１１および熱交換器１２等からなる。
【００１９】
送風ファン１１の送風作用によって、熱交換器１２で冷却された冷気が空気吹出口８から陳列室３内へ下向きに吹き出し、陳列室３内の空気が空気吸込口９から循環路１０内へ吸い込まれて熱交換器１２に循環する。これにて、陳列室３の前面にエアーカーテンが形成されるとともに、陳列室３内に冷気が供給されて陳列室３内が冷却され、棚板４や陳列室３の内底１３の上面に陳列された商品Ｐが冷却される。機械室２には、冷却手段５を構成する圧縮機や凝縮器等が配置されている。
【００２０】
各棚板４の前端には、商品Ｐの落下を防止するためのガードレール１８と、商品Ｐの値札等を保持するプライスレール１９と、本実施形態に係る照明装置２０とが取り付けられている。これらガードレール１８、プライスレール１９および照明装置２０は、棚板４の左右幅寸法のほぼ全長にわたって設けられている。図３に示すように棚板４は、商品Ｐが陳列される商品陳列部２３の前端に連続して下方へ伸びる前壁２４と、前壁２４の下端に連続して後方へ伸びる下壁２５とを備えており、これら前壁２４および下壁２５を利用して、ガードレール１８、プライスレール１９および照明装置２０が取り付けられる。
【００２１】
ガードレール１８は、透光性のプラスチック材料からなり、その下端部が前壁２４の前面上部に固定されている。ガードレール１８は、下端部を除く全体が商品陳列部２３の上面より上方に突出して、陳列された商品Ｐが棚板４の前方に落下するのを防止する。図４に示すように照明装置２０は、左右に並べて配置される複数のＬＥＤユニット３１と、アクリル樹脂等からなる導光体３２と、ＬＥＤユニット３１および導光体３２を棚板４に固定するためのブラケット３３と、導光体３２に取り付けられる前カバー３４、下カバー３５および左右一対の横カバー３６とを備える。各ＬＥＤユニット３１は、左右横長の基板３８と、基板３８の前面上部に左右に並べて配置される複数のＬＥＤ素子３９とで構成される。図３に示すように、照明装置２０を棚板４に取り付けたとき、導光体３２は前壁２４の前方に位置する。プライスレール１９は、透光性のプラスチック材料からなり、導光体３２の前カバー３４の前側に位置する値札保持部４３と、値札保持部４３の下端に連続して後方へ伸びる連結部４４とを一体に備える。連結部４４とブラケット３３とは、棚板４の下壁２５にビス４５で同時に締結固定される。
【００２２】
ブラケット３３は、一枚の板材を三箇所で直角に折り曲げて階段状に形成されており、その下端部の水平な締結座５１を介して棚板４の下壁２５に締結固定される。締結座５１の前端に連続して上方へ伸びる下縦板５２には、その前面に各ＬＥＤユニット３１が固定される。下縦板５２の後面は前壁２４の外面に接触する。下縦板５２の上端に連続して前方へ伸びる横板５３と、横板５３の前端に連続して上方へ伸びる上縦板５４とは、導光体３２の外面に接触する。導光体３２はビス５５でブラケット３３の上縦板５４に固定される。横板５３および上縦板５４と、棚板４の前壁２４で囲まれる空間に、ガードレール１８の下端部が固定される。
【００２３】
導光体３２は、ＬＥＤ素子３９からの照射光を入射させる入射面６１と、入射した光を棚板４の上方へ向けて出射させる上出射面６２と、入射した光を棚板４の下方へ向けて出射させる下出射面６３と、入射した光を反射させる第１〜第４の反射面６４〜６７とを備える。
【００２４】
入射面６１は、導光体３２の後端部に設けられて、各ＬＥＤ素子３９の前面に臨む。入射面６１は、ＬＥＤ素子３９から離れる方向に凹む断面く字状に形成されている。入射面６１の上端に連続して、前方へ伸びる水平な第１反射面６４が形成され、第１反射面６４の前端に連続して、上方へ伸びる垂直な第２反射面６５が形成され、第２反射面６５の上端に連続して、前方へ上り傾斜する上出射面６２が形成されている。また、入射面６１の下端に連続して、前方へ伸びる水平な第３反射面６６が形成され、第３反射面６６の前端に連続して下出射面６３が形成されている。下出射面６３は、第３反射面６６の前端から前方へ下り傾斜する傾斜面６８と、傾斜面６８の下端から前方へ伸びる水平な水平面６９とで構成される。水平面６９の前端に連続して、上方へ伸びる第４反射面６７が形成されている。第４反射面６７は、導光体３２の前端面を構成し、導光体３２の上下幅寸法の全長にわたって形成されている。
【００２５】
ブラケット３３、前カバー３４、下カバー３５および横カバー３６は、いずれも遮光性の材料で成形される。ブラケット３３の横板５３は、導光体３２の第１反射面６４の外面に接触し、これを外側から覆う。ブラケット３３の上縦板５４は、第２反射面６５の外面に接触し、これを外側から覆う。前カバー３４は、第４反射面６７と、第４反射面６７の上端に連続する導光体３２の上端面との外面に接触し、これらを外側から覆い、ビス７５で導光体３２に固定される。このビス７５は、プライスレール１９の値札保持部４３で外面を覆われる。下カバー３５は、その前半部が導光体３２の第３反射面６６に接触した状態で、ビス７６で導光体３２に固定される。下カバー３５の後半部は、後方へ下り傾斜して、その下端がブラケット３３に接当している。横カバー３６は、導光体３２とＬＥＤユニット３１に加え、ブラケット３３、前カバー３４および下カバー３５の左右外側面を外側から覆う。このように、ブラケット３３、前カバー３４、下カバー３５および横カバー３６は、ＬＥＤユニット３１および導光体３２の外面を、導光体３２の上出射面６２と下出射面６３とを除いて覆う。上出射面６２と下出射面６３のみが、陳列室３に臨む。
【００２６】
図１は、ＬＥＤ素子３９からの照射光の進路の一例を示す。ＬＥＤ素子３９から下斜め前方へ照射されて、入射面６１を介して導光体３２の内部に進入した光線Ｌ１は、第３反射面６６で上斜め前方へ反射される。次いで、第４反射面６７で上斜め後方へ反射され、第２反射面６５で上斜め前方へ反射され、再度、第４反射面６７で上斜め後方へ反射されて、上出射面６２に至る。上出射面６２に至った光線Ｌ１は、上出射面６２で上向きに屈折されて、棚板４の上方へ出射する。上出射面６２による照明範囲は、上出射面６２の下端の後方から、上出射面６２の上端の上斜め後方の間に設定されている。
【００２７】
一方、ＬＥＤ素子３９から上斜め前方へ照射されて、入射面６１を介して導光体３２の内部に進入した光線Ｌ２は、第１反射面６４で下斜め前方へ反射される。次いで、第４反射面６７で下斜め後方へ反射され、下出射面６３の傾斜面６８で下向きに屈折されて、棚板４の下方へ出射する。下出射面６３による照明範囲は、水平面６９の前端の下斜め前方から、傾斜面６８の上端の下斜め後方の間に設定されている。下出射面６３は、前方にも光線を出射させる点で、上出射面６２と相違する。
【００２８】
図５に示すように、棚板４Ａの上面に陳列された商品Ｐは、当該棚板４Ａに取り付けられた照明装置２０から上向きに出射する光と、当該棚板４Ａの一段上の棚板４Ｂに取り付けられた照明装置２０から下向きに出射する光とにより照明される。図５において下側の棚板４Ａの前端は、上側の棚板４Ｂの前端よりも前方に位置しており、下側の棚板４Ａの前端部に陳列された商品Ｐは、上側の棚板４Ｂに取り付けられた照明装置２０のほぼ真下に位置する。照明装置２０の下出射面６３からは、下斜め前方から下斜め後方にかけて光線が出射するので、当該照明装置２０の下方の商品Ｐは、真上から効果的に照明される。
【００２９】
以上のように、本実施形態では、入射面６１を介して導光体３２の内部に進入したＬＥＤ素子３９の照射光が、導光体３２に設けた複数の反射面６４〜６７で繰り返し反射されて、上出射面６２と下出射面６３のいずれかから出射するようにした。このように、ＬＥＤ素子３９の照射光を、導光体３２で複雑に反射させて、上出射面６２あるいは下出射面６３へ導光すると、上出射面６２と下出射面６３のそれぞれにおいて照度を均一化できる。したがって、上出射面６２と下出射面６３のそれぞれの照明範囲において、照度を均一化して照明むらを少なくすることができる。
【００３０】
上記実施形態では、全ての棚板４に照明装置２０を取り付けたが、本発明はこれに限られず、例えば、一段おきに照明装置２０を取り付けることができる。導光体３２の上下の出射面６２・６３の向き、反射面６４〜６７の数や配置などは、ショーケースの形態などに応じて任意に設定できる。例えば、各棚板４の前端位置が等しいショーケースにおいては、下出射面６３を傾斜面６８のみで構成して、照明範囲を下出射面６３の下斜め後方に設定することができる。入射面６１は、断面く字状に形成する以外に、例えば凹曲面状に形成することができる。ブラケット３３、前カバー３４および下カバー３５の、導光体３２との接触面を鏡面状に形成して、反射面とすることができる。ガードレール１８およびプライスレール１９は、少なくとも出射面６２・６３に臨む部分が透光性であればよい。
【符号の説明】
【００３１】
３  陳列室
４  棚板
２０  照明装置
３１  ＬＥＤユニット
３２  導光体
３３  ブラケット
３４  前カバー
３５  下カバー
３６  横カバー
３９  ＬＥＤ素子
５１  締結座
６１  入射面
６２  上出射面
６３  下出射面
６４〜６７  反射面
【図１】
2012161474.tif 000003
【図２】
2012161474.tif 000004
【図３】
2012161474.tif 000005
【図４】
2012161474.tif 000006
【図５】
2012161474.tif 000007